(57)【要約】【課題】従来よりも配線作業が容易で、省スペース、低コストで制御対象の電力に関するパラメータ値を算出可能な温度調節装置を実現すること。【解決手段】  抵抗線からなるヒータに印加される電圧および電流から算出する電力値と予め定められた温度設定値に基づき、前記ヒータに供給する電力を調節して前記ヒータを所定の温度に制御し、制御対象の温度を目標値に調節する温度調節装置において、前記ヒータに印加される電圧および前記ヒータに流れる電流に基づき前記制御対象の温度調節に利用する電力に関するパラメータ値を導出する電力演算手段を備えたことを特徴とする。【選択図】図１
2011197749.tif 000002
【特許請求の範囲】
【請求項１】
ヒータに印加される電圧および電流から算出する電力値と予め定められた温度設定値に基づき、前記ヒータに供給する電力を調節して前記ヒータを所定の温度に制御し、制御対象の温度を目標値に調節する温度調節装置において、
前記ヒータに印加される電圧および前記ヒータに流れる電流に基づき前記温度調節に利用する電力に関するパラメータ値を導出する電力演算手段を備えたことを特徴とする温度調節装置。
【請求項２】
前記電力演算手段は、
前記電力に関するパラメータ値として積算電力、力率、瞬時電力値のうち少なくともいずれかを計測することを特徴とする請求項１記載の温度調節装置。
【請求項３】
前記電力に関するパラメータ値の少なくともいずれかを表示する表示手段を備えることを特徴とする請求項１または２に記載の温度調節装置。
【請求項４】
前記電力に関するパラメータ値の少なくともいずれかを含む電力情報を送信する通信手段を備えることを特徴とする請求項１〜３のいずれかに記載の温度調節装置。
【請求項５】
前記ヒータに印加される電圧値を計測する電圧計測手段と、
前記ヒータに流れる電流値を計測する電流計測手段と、
前記各計測手段により計測した電圧値と電流値とに基づいて前記ヒータに供給される電力を調節することにより前記ヒータを所定の温度に制御する電力調節手段とを備えることを特徴とする請求項１〜４のいずれかに記載の温度調節装置。
【発明の詳細な説明】
【技術分野】
【０００１】
本発明は、ヒータに印加される電圧および電流から算出する電力値と予め定められた温度設定値に基づき、ヒータに供給する電力を調節してヒータを所定の温度に制御し、制御対象の温度を目標値に調節する温度調節装置に関し、特に、従来よりも省スペース、低コストで制御対象の電力に関するパラメータ値を算出可能な温度調節装置の実現に関する。
【背景技術】
【０００２】
従来から、一般に恒温槽などの電気炉の温度制御に温度調節装置（温度調節装置、デジタル指示調節計）が用いられている。温度調節装置は、（電気）炉の温度を測定する温度センサの温度測定信号に基づいて電気炉の制御信号を出力し、この制御信号をコントローラに与えヒータの発熱を制御するものである。
【０００３】
また温度調節装置は、抵抗線からなるヒータが断線すると温度の調節ができなくなるので、ヒータの断線を検出する機能を備えている。具体的には従来の温度調節装置は、このヒータに流れる電流（ヒータ電流）を利用して断線を検出する。
【０００４】
図２は、従来の温度調節装置の構成例を示した図であり、図２において従来の温度調節装置１は、ヒータ２で加熱された炉１００などの制御対象を、ヒータ電力供給手段６からヒータ２への電力供給を温度調節装置でＯＮ、ＯＦＦすることで制御する。
【０００５】
従来の温度調節装置では、電流測定手段１１、電流センサ３ａの測定信号を含む複数のアナログ入力信号をデジタルデータに変換（Ａ／Ｄ（アナログデジタル）変換する）し、このデータを出力する。
【０００６】
変圧手段４ａは、電流センサ３ａの測定信号を含む複数のアナログ入力信号を変圧し、変圧後のアナログ信号を出力する。
電圧測定手段１２は、変圧手段４ａからの変圧後のアナログ入力信号をＡ／Ｄ（アナログデジタル）変換する。
【０００７】
電力演算手段１３ａは、電流測定手段１１と電圧測定手段１２とから受信するデジタルデータに基づき、抵抗線からなるヒータ２に印加される電圧およびヒータ２に流れる電流から瞬時電力を算出する。
【０００８】
出力演算手段１３ｂは、電力演算手段１３ａで算出された瞬時電力値と予め定められた温度測定値,温度設定値などに基づいて、制御信号を出力する。
【０００９】
供給出力調整手段１４は、出力演算手段１３ｂからの制御信号に基づいて、ヒータ電力供給手段６に電力を供給するためのスイッチのＯＮまたはＯＦＦを制御し、ＯＮの状態の場合は所定の電圧をヒータ電力供給手段５００に供給する。
【００１０】
ヒータ電力供給手段５００は、供給出力調整手段１４がＯＮの状態となった場合に印加される電圧に基づき、ヒータ２に電力を供給する。
【００１１】
ヒータ２は、ヒータ電力供給手段５００から所定の電圧が印加されると所定の温度の熱を発生させ炉１００を加熱する。
【００１２】
なお、従来の温度調節装置は各手段の動作を制御するＣＰＵなどからなる演算制御部１３と他の機器と通信回線を介して通信する通信手段１４も有する。演算制御部１３は電力演算手段１３ａと出力演算手段１３ｂを具備する。
【００１３】
また、従来の温度調節装置の電圧測定手段１２は、対象の電圧値が小さい場合は変圧手段４ａを介さずに直接信号が入力されるものでもよい。
【００１４】
また従来から、炉１００（制御対象）の電力を測定するために、このような構成に加えて、電力計５を備えるものがある。
【００１５】
具体的には、電力計５は、ヒータ２と接続される電流センサ３ｂが検知する電流値を示す測定信号を含む複数のアナログ入力信号と、変圧手段４ｂにより変圧される電流センサ３ｂが検知する測定信号を含む複数のアナログ入力信号と基づき、炉１００（制御対象）の電力量（積算電力等）を測定する。
【００１６】
この結果、従来では、温度調節装置が、抵抗線からなるヒータに印加される電圧および電流から算出する電力値と予め定められた温度設定値に基づき、ヒータに供給する電力を調節してヒータを所定の温度に制御して制御対象の温度を目標値に調節し、電力計がヒータに印加される電圧およびヒータに流れる電流に基づき積算電力等を算出することにより、炉１００（制御対象）の電力量を測定することができた。
【００１７】
このような温度調節装置に関連する先行技術文献として下記の特許文献１がある。
【先行技術文献】
【特許文献】
【００１８】
【特許文献１】特開２００２−２１５２４６号公報
【発明の概要】
【発明が解決しようとする課題】
【００１９】
しかしながら、従来の温度調節装置は、電力表示機能／電力値通信機能を有せず、炉における電力をモニタするには別途電力計を備える必要があり、電力計を設置するにあたりスペースをとってしまう、コストがかかってしまうという問題点があった。
【００２０】
また、従来の温度調節装置では、電力計を配置する際には、電流センサおよび変圧手段を配線する必要があり、配線作業が煩雑になってしまうという問題点があった。
【００２１】
また、従来の温度調節装置では、電力計を配置する際に、制御対象である炉の近辺で配線作業をする必要があるので、工場設備、周辺機器の動作を停止して配線作業をする必要があり、配線作業が煩雑になってしまうという問題点があった。
【００２２】
また、従来の温度調節装置では、電力計を配置する際には、温度調節装置と互換性のある電力計であることが必要であり、電力計が故障等した場合に備えて互換性のある電力計を用意しなければならないという問題点があった。
【００２３】
本発明は上述の問題点を解決するものであり、その目的は、従来よりも配線作業が容易で省スペース、低コストで制御対象の電力に関するパラメータ値を算出可能な温度調節装置を実現することにある。
【課題を解決するための手段】
【００２４】
このような目的を達成するために、本発明のうち請求項１記載の発明は、
抵抗線からなるヒータに印加される電圧および電流から算出する電力値と予め定められた温度設定値に基づき、前記ヒータに供給する電力を調節して前記ヒータを所定の温度に制御し、制御対象の温度を目標値に調節する温度調節装置において、
前記ヒータに印加される電圧および前記ヒータに流れる電流に基づき前記制御対象の温度調節に利用する電力に関するパラメータ値を導出する電力演算手段を備えたことを特徴とする温度調節装置である。
【００２５】
請求項２記載の発明は、請求項１記載の温度調節装置において、
前記電力演算手段は、
前記制御対象の温度調節に利用する電力に関するパラメータ値として積算電力、力率、瞬時電力値のうち少なくともいずれかを計測することを特徴とする。
【００２６】
請求項３記載の発明は、請求項１または２記載の温度調節装置において、
前記制御対象の温度調節に利用する電力に関するパラメータ値の少なくともいずれかを表示する表示手段を備えることを特徴とする。
【００２７】
請求項４記載の発明は、請求項１〜３のいずれかに記載の温度調節装置において、
前記制御対象の温度調節に利用する電力に関するパラメータ値の少なくともいずれかを含む電力情報を送信する通信手段を備えることを特徴とする。
【００２８】
請求項５記載の発明は、請求項１〜４のいずれかに記載の温度調節装置において、
前記ヒータに印加される電圧値を計測する電圧計測手段と、
前記ヒータに流れる電流値を計測する電流計測手段と、
前記各計測手段により計測した電圧値と電流値とに基づいて前記ヒータに供給される電力を調節することにより前記ヒータを所定の温度に制御する電力調節手段とを備えることを特徴とする。
【発明の効果】
【００２９】
本発明であれば、ヒータに印加される電圧およびヒータに流れる電流に基づき制御対象の温度調節に利用する電力に関するパラメータ値を導出する電力演算手段を備えたことにより、従来よりも省スペース、低コストで制御対象の電力に関するパラメータ値を算出できる。
【００３０】
また本発明であれば、本発明の温度調節装置は、上述の構成とすることで、電力量をモニタリングすることにより、装置の故障を事前に検出することや、劣化状況を確認することができる点で有効である。また、電力消費量を記録することにより、省エネ法やＩＳＯ14001で求められるエネルギー管理作業の効率化などが行なえる点でも有効である。
【００３１】
また本発明であれば、制御対象の温度調節に利用する電力に関するパラメータ値の少なくともいずれかを表示する電力表示手段を備えることにより、制御対象の測定温度と電力パラメータとを同時に表示できる。このためユーザは制御対象の温度と電力とを一度に把握することができる。
【００３２】
また本発明であれば、制御対象の電力に関するパラメータ値の少なくともいずれかを含む電力情報を送信する通信手段を備えることにより、従来よりも省スペース、低コストで制御対象の温度調節に利用する電力に関するパラメータ値を上位機器で収集することができる。
【００３３】
また本発明であれば、ヒータに印加される電圧およびヒータに流れる電流に基づき制御対象の温度調節に利用する電力に関するパラメータ値を導出する電力演算手段を備えたことにより、従来のように電力計を配置する際には、電流センサおよび変圧手段を配線する必要がなくなり、配線作業が容易になる点で有効である。
【００３４】
また本発明であれば、ヒータに印加される電圧およびヒータに流れる電流に基づき制御対象の温度調節に利用する電力に関するパラメータ値を導出する電力演算手段を備えたことにより、従来のように工場設備、周辺機器の動作を停止して配線作業をする必要がなくなり、配線作業が容易になる点で有効である。
【００３５】
また本発明であれば、ヒータに印加される電圧およびヒータに流れる電流に基づき制御対象の温度調節に利用する電力に関するパラメータ値を導出する電力演算手段を備えたことにより、従来のように、電力計が故障等した場合に備えて互換性のある電力計を用意する必要がなくなる点で有効である。
【図面の簡単な説明】
【００３６】
【図１】本発明に係る温度調節装置の一実施例を示す構成図である。
【図２】従来の温度調節装置の構成例を示した図である。
【発明を実施するための形態】
【００３７】
＜第１の実施例＞
（構成の説明）
図１は、本発明に係る温度調節装置の一実施例を示す構成図であり、図２と共通する部分には同一の符号を付けて適宜説明を省略する。
図１と図２との相違点は、主に、本発明に係る温度調節装置がヒータに印加される電圧およびヒータに流れる電流に基づき制御対象の電力に関するパラメータ値を導出する電力演算手段を備える点である。
【００３８】
本発明の温度調節装置は、ヒータ２で加熱された炉１００などの制御対象を、ヒータ電力供給手段６からヒータ２への電力供給を温度調節装置でＯＮ、ＯＦＦすることで制御する。
【００３９】
図１において、本発明の温度調節装置９は、主に、抵抗線からなるヒータ２に流れる電流値を計測する電流測定手段９１と、ヒータ２に印加される電圧値を計測する電圧測定手段９２と、電流測定手段９１と電圧測定手段９２により計測した電圧値と電流値とに基づいて制御対象の温度調節に利用する電力に関するパラメータを算出する電力演算手段９３ａと、計測した電圧値と電流値とに基づいてヒータ２に供給される電力を調節することによりヒータ２を所定の温度に制御する出力演算手段９３ｂと、所定の電圧をヒータ電力供給手段５００に供給する供給調節手段９４と、電力に関するパラメータ値を含む電力情報を表示する電力表示手段９５と、電力に関するパラメータ値を含む電力情報を送信する通信手段９６とから構成される。
【００４０】
（主な構成要素の説明）
電流測定手段９１は、電流センサ３ａがヒータ２からの電気信号に基づいて検出した測定信号（を含む複数のアナログ入力信号）をデジタルデータに変換（Ａ／Ｄ（アナログデジタル）変換）し、このデータを出力する。
【００４１】
電圧測定手段９２は、変圧手段４ａがヒータ電力供給手段５００からの供給電圧を変圧した変圧後のアナログ入力信号をＡ／Ｄ（アナログデジタル）変換する。
【００４２】
電力演算手段９３ａは、電流測定手段９１と電圧測定手段９２とから受信するデジタルデータに基づき、ヒータ２に印加される電圧およびヒータ２に流れる電流から瞬時電力を算出する。また、電力演算手段９３ａは、制御対象の温度調節に利用する電力に関するパラメータ値として積算電力、瞬時電力値、力率のうち少なくともいずれかを算出する。
【００４３】
出力演算手段９３ｂは、電力演算手段９３ａで算出された瞬時電力値と予め定められた温度測定値、温度設定値などに基づいて、制御信号を出力する。
【００４４】
供給調節手段９４は、出力演算手段９３ｂからの制御信号に基づいて、ヒータ電力供給手段６がヒータ２に電力を供給するためのスイッチのＯＮまたはＯＦＦを制御し、ＯＮの状態の場合は所定の電圧をヒータに供給する。
【００４５】
電力表示手段９５は、炉１００などの制御対象の温度調節に利用する電力に関するパラメータの少なくともいずれかを表示するモニタなどの表示手段の一例である。
通信手段９６は、炉１００などの制御対象の電力に関するパラメータ値の少なくともいずれかを含む電力情報を送信する。
【００４６】
また、本発明の温度調節装置は、各手段の動作を制御するＣＰＵなどからなる演算制御部９３と、ハードディスク、ＲＡＭ（Random Access Memory）やＲＯＭ（Read Only Memory）などであり、本発明の温度調節装置として動作するためのプログラムやアプリケーションなどを記憶する記憶手段９７も有する。
【００４７】
なお演算制御部９３は、記憶手段９７に格納されているＯＳなどを起動して、このＯＳ上で格納されたプログラムを読み出し実行することにより各手段または機器全体を制御し、温度調節装置固有の動作を行う。このとき、演算制御部９３によって実行されるプログラムやアプリケーションをプログラム格納エリアに展開し、入力されたデータや、プログラムやアプリケーションの実行時に生じる処理結果などのデータをワークエリアに一時的に記憶するものであってもよい。
また、上述の各手段は、演算制御部９３が記憶手段９７に格納されているＯＳなどを起動して、このＯＳ上で格納されたプログラムやアプリケーションを読み出し実行することにより制御されるものでもよい。
【００４８】
また演算制御部９３は、主に電力演算手段９３ａと出力演算手段９３ｂの機能ブロックを有する。これらの各手段はバスにより相互に接続されるようなそれぞれ独立した機器から構成されるものであってもよい。
【００４９】
なお、本発明に係る温度調節装置は、電力演算手段９３ａが電力演算に用いる電流値は、電流測定手段９１からのデジタルデータに基づき電流値を演算する電流演算部９３ｃを備えるものでもよい。
また、本発明に係る温度調節装置は、電力演算手段９３ａが電力演算に用いる電流値は、電圧測定手段９２からのデジタルデータに基づき電流値を演算する電圧演算部９３ｄを備えるものでもよい。
【００５０】
（主な構成要素の配置・接続関係の説明）
ヒータ２は、炉１００に設置され炉１００を加熱し、電流センサ３ａとヒータ電力供給手段５００と相互に接続される。
【００５１】
電流センサ３ａは、ヒータ２および電流測定手段９１、変圧手段４ａと接続される。変圧手段４ａは、電圧測定手段９２と接続される。電流測定手段９１と電圧測定手段９２は電力演算手段９３ａと接続される。
【００５２】
電力演算手段９３ａは、電力表示手段９５および出力演算手段９３ｂ、通信手段９６と接続される。通信手段９６は接続線を介して制御装置、レコーダなどの上位機器と接続される。
【００５３】
出力演算手段９３ｂは、供給調節手段９４と接続される。供給調節手段９４は、ヒータ電力供給手段５００と接続される。また供給調節手段９４は、変圧手段４ａと電流センサ３ａとも接続される。
【００５４】
（動作説明）
このような構成で、本発明の温度調節装置は、次の（１−１）〜（１−１５）の動作を行なう。
また本発明の温度調節装置は、従来と同様にヒータ２で加熱された炉１００などの制御対象を、ヒータ電力供給手段５００からヒータ２への電力供給を温度調節装置でＯＮ、ＯＦＦすることで制御する。
【００５５】
（１−１）
ヒータ２は、ヒータ電力供給手段５００から所定の電圧が印加されると所定の温度の熱を発生させ炉１００を加熱する。
【００５６】
（１−２）
電流センサ３ａは、ヒータ２からの電気信号を検出し、測定信号を含む複数のアナログ入力信号を出力する。
【００５７】
（１−３）
変圧手段４ａは、電流センサ３ａの測定信号を含む複数のアナログ入力信号を変圧し、変圧後のアナログ信号を出力する。
【００５８】
（１−４）
電流測定手段９１は、電流センサ３ａがヒータ２からの電気信号に基づいて検出した測定信号（を含む複数のアナログ入力信号）をデジタルデータに変換（Ａ／Ｄ（アナログデジタル）変換）し、このデータを出力する。
【００５９】
（１−５）
電圧測定手段９２は、変圧手段４ａがヒータ電力供給手段５００の電圧を変圧した変圧後のアナログ入力信号をＡ／Ｄ（アナログデジタル）変換する。
【００６０】
（１−６）
また、電流測定手段９１と電圧測定手段９２は、所定のサンプリング周期でアナログ入力信号を順次デジタルデータに変換して電力演算手段９３ａに出力する。
【００６１】
（１−７）
電力演算手段９３ａは、電流測定手段９１と電圧測定手段９２とから受信するデジタルデータに基づき、抵抗線からなるヒータ２に印加される電圧およびヒータ２に流れる電流から瞬時電力を算出する。
具体的には、電力演算手段９３ａは、電流測定手段９１と電圧測定手段９２が順次サンプリングして得られたデジタルデータに基づいて皮相電力 （ＶＡ）（電流(Ａｒｍｓ)×電圧(Ｖｒｍｓ)）を算出する。
【００６２】
つまり電力演算手段９３ａは、電流測定手段９１および電圧測定手段９２からのデジタルデータ（電流値および電圧値）に基づいて瞬時電力値（ＶＡ）＝電流値Ａ×電圧値Ｖ）を算出する。電力演算手段９３ａは、算出された瞬時電力値を記憶手段９７に記憶するものでもよい。
【００６３】
（１−８）
また電力演算手段９３ａは、電流測定手段９１および電圧測定手段９２からのデジタルデータ（電流値および電圧値）に基づいて積算電力を算出する。
具体的には、電力演算手段９３ａは、電流測定手段９１と電圧測定手段９２が順次サンプリングして得られたデジタルデータに基づき算出した瞬時電力値を順次加算して、積算電力値（電力量（Ｗｈ））を算出する。
電力演算手段９３ａは算出された積算電力値を記憶手段９７に記憶するものでもよい。
【００６４】
（１−９）
さらに電力演算手段９３ａは、電流測定手段９１および電圧測定手段９２からのデジタルデータ（電流値および電圧値）に基づいて力率も算出するものでもよい。
具体的には、電力演算手段９３ａは、これら算出された電力パラメータに基づいて、力率（有効電力÷皮相電力）を算出する。
【００６５】
なお電力演算手段９３ａは、制御対象の温度調節に利用する電力に関するパラメータ値として積算電力、瞬時電力値、力率のうち少なくともいずれかを計測するものでもよい。
【００６６】
（１−１０）
電力表示手段９５は、炉１００などの制御対象の温度調節に利用する電力に関するパラメータ値（積算電力、力率、瞬時電力値）の少なくともいずれかを表示する。
また図示しない表示手段は、温度センサなどから得られた測定データに基づき演算制御手段９３で算出された炉などの制御対象における温度を表示する。
このため、本発明の温度調節装置の電力表示手段が制御対象の温度調節に利用する電力に関するパラメータを表示することにより、従来必要であった電力計の設置スペースを省スペース化することができる点で有効である。
また、本発明の温度調節装置の電力表示手段が制御対象の温度調節に利用する電力に関するパラメータを表示することにより、制御対象の測定温度と電力パラメータとを同時に表示できる点で有効である。
【００６７】
（１−１１）
通信手段９６は、炉１００などの制御対象の電力に関するパラメータ値（積算電力、力率、瞬時電力値）の少なくともいずれかを含む電力情報を上位機器（レコーダなど）に送信する。
このため、別途電力計を備えることがなくとも上位機器へ通信でき、従来必要であった電力計の設置スペースを省スペース化することができる点で有効である。
また本発明によれば、従来のように温度調節装置、ヒータごとに電力計を備える必要がなくなるため、省スペース化することができる点でも有効である。
【００６８】
（１−１２）
出力演算手段９３ｂは、電力演算手段９３ａで算出された瞬時電力値と予め定められた温度測定値,温度設定値などに基づいて、制御信号を出力する。
【００６９】
（１−１３）
供給出力調整手段１４は、出力演算手段１３ｂからの制御信号に基づいて、ヒータ電力供給手段５００からヒータ２に電力を供給するためのスイッチのＯＮまたはＯＦＦを制御し、ＯＮの状態の場合は所定の電圧をヒータ２に供給する。
【００７０】
（１−１４）
ヒータ電力供給手段５００は、供給出力調整手段１４がＯＮの状態となった場合に印加される電圧に基づき、ヒータ２に電力を供給する。
【００７１】
（１−１５）
ヒータ２は、ヒータ電力供給手段５００から所定の電圧が印加されると所定の温度の熱を発生させ炉１００を加熱する。
このため、抵抗線からなるヒータに印加される電圧および電流から算出する電力値と予め定められた温度設定値に基づき、ヒータに供給する電力を調節してヒータを所定の温度に制御して制御対象の温度を目標値に調節することできる。
【００７２】
この結果、本発明の温度調節装置は、ヒータに印加される電圧およびヒータに流れる電流に基づき制御対象の電力に関するパラメータ値を導出する電力演算手段を備えたことにより、従来よりも省スペース、低コストで制御対象の温度調節に利用する電力に関するパラメータ値を算出できる。
【００７３】
また、制御対象の温度調節に利用する電力に関するパラメータ値の少なくともいずれかを表示する電力表示手段を備えることにより、制御対象の測定温度と電力パラメータとを同時に表示できる。このためユーザは制御対象の温度と電力とを一度に把握することができる。
【００７４】
また、本発明の温度調節装置は、上述の構成とすることで、電力量をモニタリングすることにより、装置の故障を事前に検出することや、劣化状況を確認することができる点で有効である。
また、本発明の温度調節装置は、電力消費量を記録することにより、省エネ法やＩＳＯ14001で求められるエネルギー管理作業の効率化などが行なえる点でも有効である。
【００７５】
また、制御対象の電力に関するパラメータ値の少なくともいずれかを含む電力情報を送信する通信手段を備えることにより、従来よりも省スペース、低コストで制御対象の温度調節に利用する電力に関するパラメータ値を上位機器で収集することができる。
【００７６】
また、本発明の温度調節装置は、ヒータに印加される電圧およびヒータに流れる電流に基づき制御対象の温度調節に利用する電力に関するパラメータ値を導出する電力演算手段を備えたことにより、従来のように電力計を配置する際には電流センサおよび変圧手段を配線する必要がなくなり、配線作業が容易になる点で有効である。
【００７７】
また、本発明の温度調節装置は、ヒータに印加される電圧およびヒータに流れる電流に基づき制御対象の温度調節に利用する電力に関するパラメータ値を導出する電力演算手段を備えたことにより、従来のように工場設備、周辺機器の動作を停止して配線作業をする必要がなくなり、配線作業が容易になる点で有効である。
【００７８】
また、本発明の温度調節装置は、ヒータに印加される電圧およびヒータに流れる電流に基づき制御対象の温度調節に利用する電力に関するパラメータ値を導出する電力演算手段を備えたことにより、従来のように、電力計が故障等した場合に備えて互換性のある電力計を用意する必要がなくなる点で有効である。
【００７９】
また、本発明の温度調節装置は、ヒータが抵抗線からなるものを一例として説明しているが、特にこれに限定するものではなく、炉に加熱できるものであればどのような構成のものであってもよい。
【００８０】
また、本発明の温度調節装置は、炉の温度を測定する温度センサの温度測定信号に基づいて電気炉の制御信号を出力し、この制御信号をコントローラに与えヒータの発熱を制御するものでもよい。
【符号の説明】
【００８１】
９１  電流測定手段
９２  電圧測定手段
９３  演算制御部
９３ａ  電力演算手段
９３ｂ  出力演算手段
９４  供給調節手段
９５  電力表示手段
９６  通信手段
【図１】
2011197749.tif 000003
【図２】
2011197749.tif 000004